(57)【要約】      （修正有）【課題】文書ファイルをラスタデータに変換する際に、出力結果を適宜変更することができるデータ変換装置を提供する。【解決手段】文書ファイル４０には、表示画像データ、ダミー画像データ、コード画像データ４４が含まれる。ダミー画像データは、表示画像データの上に重ねて配置されるように設定されている。文書ファイル４０の表示をユーザが指示した場合、データ変換部１２は、コード画像データ４４から文書ファイル４０が有する画像データの表示の可否を示す表示変更情報４４１を取得する。ラスタ処理部１２３は、文書ファイル４０をラスタライズする際に、表示変更情報４４１で配置が許可されていないダミー画像データをラスタライズに使用しない。一方、表示変更情報４４１で配置が許可されている表示画像データは、ページデータ５０上に配置される。【選択図】図１
2009253527.tif 000002
【特許請求の範囲】
【請求項１】
文書ファイルに含まれる表示データの表示変更の指示が記録された表示変更情報を、前記文書ファイルから取得する変更情報取得部と、
前記表示変更情報に基づいて前記表示データの表示状態を変更した上で、前記文書ファイルをラスタライズするラスタ処理部と、
を備えることを特徴とするデータ変換装置。
【請求項２】
請求項１に記載のデータ変換装置において、
前記表示変更情報は、２次元コードとして前記文書ファイルに含まれており、
前記変更情報取得部は、
前記文書ファイルから前記２次元コードを検出し、検出した２次元コードから前記表示変更情報を取得する２次元コード処理部、
を含むことを特徴とするデータ変換装置。
【請求項３】
請求項１または請求項２に記載のデータ変換装置において、
前記表示データは、第１の画像データおよび前記第１の画像データの上側に重ねて配置される第２の画像データであり、
前記表示変更情報には、前記第１の画像データの表示を許可するか否かの情報、および前記第２の画像データの表示を許可するか否かの情報が記録されていることを特徴とするデータ変換装置。
【請求項４】
請求項１または請求項２に記載のデータ変換装置において、
前記表示データは、テキストデータであり、
前記表示変更情報には、前記テキストデータの書式変更を指示する情報が記録されており、
前記ラスタ処理部は、
前記テキストデータの書式を前記表示変更情報に基づいて変更する書式変更部、
を含むことを特徴とするデータ変換装置。
【発明の詳細な説明】
【技術分野】
【０００１】
本発明は、画像データを含む原稿ファイルをラスタライズするデータ変換装置に関する。
【背景技術】
【０００２】
近年、ＸＰＳ（ＸＭＬ  Ｐａｐｅｒ  Ｓｐｅｃｉｆｉｃａｔｉｏｎ）、またはＰＤＦ（Ｐｏｒｔａｂｌｅ  Ｄｏｃｕｍｅｎｔ  Ｆｏｒｍａｔ）などのページ記述言語を用いて文書ファイルを保存するケースが増加している。これらのページ記述言語を用いて文書ファイルを保存することによって、ユーザは、コンピュータの動作環境に関係なく、文書ファイルを閲覧することができる。
【０００３】
たとえば、ＸＰＳ形式で保存された文書ファイルは、画像データおよびテキストデータなどのオブジェクトデータ、オブジェクトのレイアウトを記録したレイアウトデータなどで構成される。このため、コンピュータは、ＸＰＳ形式の文書ファイルをモニタに表示させる場合、文書ファイルをラスタデータに変換する必要がある。
【０００４】
【特許文献１】特開２００６−２８７５１４号公報
【発明の開示】
【発明が解決しようとする課題】
【０００５】
また、上記特許文献１に、セキュリティの向上を目的として、ユーザ以外の第三者が撮像した画像データを見ることができないカメラ装置が開示されている。
【０００６】
特許文献１に係るカメラ装置は、撮像した画像データを、偽装用の画像データとともに保存する。撮像した画像データを再生する場合、ユーザは、特許文献１に係るカメラ装置にパスワードを入力する。入力されたパスワードが一致しない場合、偽装用の画像データが、撮像した画像データの代わりに表示される。
【０００７】
一方、ページ記述言語で記述された文書ファイルがラスタデータに変換される場合、文書ファイルに格納されている画像データは、そのままラスタデータ上に配置される。つまり、文書ファイルの閲覧時に、ユーザは、文書ファイルに格納されている画像データを隠すことができない。文書ファイルをコンピュータのモニタに表示させることによって、文書ファイルが第三者に見られるおそれがあった。
【０００８】
そこで、本発明は前記問題点に鑑み、文書ファイルをラスタデータに変換する際に、出力結果を適宜変更することができるデータ変換装置を提供することを目的とする。
【課題を解決するための手段】
【０００９】
上記課題を解決するため、請求項１記載の発明は、文書ファイルに含まれる表示データの表示変更の指示が記録された表示変更情報を、前記文書ファイルから取得する変更情報取得部と、前記表示変更情報に基づいて前記表示データの表示状態を変更した上で、前記文書ファイルをラスタライズするラスタ処理部と、を備えることを特徴とする。
【００１０】
請求項２記載の発明は、請求項１に記載のデータ変換装置において、前記表示変更情報は、２次元コードとして前記文書ファイルに含まれており、前記変更情報取得部は、前記文書ファイルから前記２次元コードを検出し、検出した２次元コードから前記表示変更情報を取得する２次元コード処理部、を含むことを特徴とする。
【００１１】
請求項３記載の発明は、請求項１または請求項２に記載のデータ変換装置において、前記表示データは、第１の画像データおよび前記第１の画像データの上側に重ねて配置される第２の画像データであり、前記表示変更情報には、前記第１の画像データの表示を許可するか否かの情報、および前記第２の画像データの表示を許可するか否かの情報が記録されていることを特徴とする。
【００１２】
請求項４記載の発明は、請求項１または請求項２に記載のデータ変換装置において、前記表示データは、テキストデータであり、前記表示変更情報には、前記テキストデータの書式変更を指示する情報が記録されており、前記ラスタ処理部は、前記テキストデータの書式を前記表示変更情報に基づいて変更する書式変更部、を含むことを特徴とする。
【発明の効果】
【００１３】
本発明に係るデータ変換装置は、文書ファイルをラスタライズする際に、文書ファイルに含まれる表示データの表示状態を表示変更情報に基づいて変更する。このように、本発明に係るデータ変換装置は、表示変更情報の内容に応じて表示状態の異なるラスタデータを作成することができる。
【００１４】
また、表示データが第１の画像データと、第１の画像データの上に重ねて配置される第２の画像データである場合、第１の画像データおよび第２の画像データの配置の可否を示す許可情報が表示設定情報に記録される。これにより、本発明に係るデータ変換装置は、許可情報の内容に応じて画像データの表示状態が異なるラスタデータを作成することができる。
【００１５】
また、表示データがテキストデータである場合、表示変更情報には、テキストデータの書式の変更を指示する情報が記録される。これにより、本発明に係るデータ変換装置は、表示変更情報の内容に応じて、書式が異なるテキストデータが描画されたラスタデータを作成することができる。
【発明を実施するための最良の形態】
【００１６】
｛第１の実施の形態｝
以下、図面を参照しつつ本発明の第１の実施の形態について説明する。図１は、第１の実施の形態に係るパーソナルコンピュータ（Ｐｅｒｓｏｎａｌ  Ｃｏｍｐｕｔｅｒ。以下、「ＰＣ」という）１の機能的構成を示すブロック図である。
【００１７】
ＰＣ１は、文書表示部１１と、データ変換部１２と、操作部１３と、モニタ１４と、記憶部１５とを備える。文書表示部１１は、ユーザの指示に応じて、記憶部１５に格納されている文書ファイル４０をモニタ１４に表示する。データ変換部１２は、文書ファイル４０をラスタライズし、ページ単位のページデータ５０、５０・・・を作成する。
【００１８】
操作部１３は、マウス、キーボードなどで構成される。モニタ１４は、たとえば液晶表示ディスプレイである。ユーザは、操作部１３およびモニタ１４をユーザインタフェースとして、ＰＣ１を操作する。記憶部１５は、ハードディスク装置などで構成されており、文書ファイル４０を格納する。文書ファイル４０は、ユーザがＰＣ１を操作して作成した文書データをＸＰＳ形式で保存したファイルなどである。
【００１９】
次に、データ変換部１２の構成について説明する。データ変換部１２は、ファイル解析部１２１と、２次元コード処理部１２２と、ラスタ処理部１２３とを備えている。ファイル解析部１２１は、文書ファイル４０から、文書ファイル４０中の画像データの表示状態の変更を指示する表示変更情報４４１を取得する。２次元コード処理部１２２は、文書ファイル４０に含まれる２次元コードを処理する。ラスタ処理部１２３は、文書ファイル４０をページ単位でラスタライズする。
【００２０】
次に、文書ファイル４０の構造について説明する。図２は、文書ファイル４０を構成するデータを示す図である。文書ファイル４０は、レイアウトファイル４１、表示画像データ４２、ダミー画像データ４３、コード画像データ４４をそれぞれ単一のファイルとして保持している。文書ファイル４０がＸＰＳ形式のファイルの場合、これらデータは、ＸＰＳの仕様に基づいて所定のフォルダにそれぞれ格納される。
【００２１】
レイアウトファイル４１は、ページ単位で作成され、文書ファイル４０のサイズ情報、オブジェクト配置情報４１０、およびテキストデータ４１１、４１２などが記述されている。オブジェクト配置情報４１０は、テキストデータ４１１、４１２、表示画像データ４２、ダミー画像データ４３などのオブジェクトの配置領域を示す情報である。テキストデータ４１１、４１２は、ユーザが文書データの作成時に記述した文字情報であり、フォントの種類、フォントサイズなどが指定されている。
【００２２】
表示画像データ４２は、ユーザが文書データを作成した際に埋め込まれた画像データである。ダミー画像データ４３は、表示画像データ４２を隠すために用いられる。ダミー画像データ４３は、表示画像データ４２と同一サイズである。コード画像データ４４は、２次元コードが描かれた画像データであり、表示変更情報４４１が記録されている。なお、ダミー画像データ４３、コード画像データ４４は、ユーザが作成した文書データが文書ファイル４０として保存される際などに作成される。
【００２３】
以下、ＰＣ１における文書ファイル４０のラスタライズについて説明する。なお、以下の説明において、文書ファイル４０のページ数は、１ページである場合を例にして説明する。
【００２４】
まず、文書ファイル４０におけるダミー画像データ４３の表示状態について説明する。図３は、表示変更情報４４１を用いずに文書ファイル４０から作成されたページデータ５０を示す図である。図３に示すページデータ５０では、テキストデータ４１１、４１２とダミー画像データ４３とが表示されている。ダミー画像データ４３は、オブジェクト配置情報４１０に基づいて、表示画像データ４２の上側に重なるように配置されている。このため、図３に示すページデータ５０において、表示画像データ４２は、ダミー画像データ４３によって隠された状態となっている。
【００２５】
図４は、表示変更情報４４１を用いて文書ファイル４０から作成されたページデータ５０を示す図である。図４に示すページデータ５０は、図３に示すページデータ５０と異なり、テキストデータ４１１、４１２と表示画像データ４２とが表示されている。つまり、図４に示すページデータ５０では、ダミー画像データ４３が表示されていない。これは、表示変更情報４４１において、文書ファイル４０のラスタライズ時にダミー画像データ４３の配置が許可されていないためである。
【００２６】
図５は、表示変更情報４４１の一例を示す図である。表示変更情報４４１は、文書ファイル４０のラスタライズに用いられる画像データのファイル名と、ページデータ５０上に画像データの配置を許可するかどうかを示す許可情報とが対応付けられた情報である。図５に示す表示変更情報４４１では、表示画像データ４２の配置が許可され、ダミー画像データ４３の配置が許可されていない。
【００２７】
このように、ＰＣ１は、表示変更情報４４１を用いることで、文書ファイル４０から作成されるページデータ５０の表示状態を変更できる。なお、コード画像データ４４をページデータ５０上に配置するようにしてもよい。この場合、コード画像データ４４の許可情報が、表示変更情報４４１に記述され、コード画像データ４４の配置情報が、オブジェクト配置情報４１０に記述される必要がある。
【００２８】
次に、文書ファイル４０をラスタライズする際のＰＣ１の動作について詳しく説明する。まず、ＰＣ１のユーザが、操作部１３を操作して文書表示部１１に文書ファイル４０の表示を指示する。文書表示部１１は、データ変換部１２に文書ファイル４０のラスタライズを指示する。これにより、文書ファイル４０のラスタライズが開始される。
【００２９】
データ変換部１２は、文書ファイル４０を解析して、文書ファイル４０から表示変更情報４４１を取得するファイル解析処理を実行する。続いて、表示変更情報４４１に基づいて文書ファイル４０がラスタライズされるラスタ変換処理が実行される。
【００３０】
ここで、ファイル解析処理について図６を用いて説明する。図６は、ファイル解析処理におけるデータ変換部１２の動作の流れを示すフローチャートである。
【００３１】
まず、表示変更情報４４１が初期化される。ファイル解析部１２１は、文書ファイル４０が有する画像データを全てリストアップし、リストアップした各画像データに対しＩＤを付与する（ステップＳ１０１）。リストアップされた順に画像データに通し番号が振られることでＩＤが付与される。
【００３２】
ファイル解析部１２１は、ＩＤ＝１の画像データを指定し（ステップＳ１０２）、ＩＤ＝１の画像データのファイル名が２次元コードを示すファイル名であるかどうかを判定する（ステップＳ１０３）。ファイル解析部１２１は、２次元コードを示すファイル名、すなわちコード画像データ４４のファイル名“ｃｏｄｅ．ｐｎｇ”を予め保持している。
【００３３】
ＩＤ＝１の画像データのファイル名が２次元コードを示していない場合（ステップＳ１０３においてＮｏ）、ファイル解析部１２１は、次の画像データを指定するために、ＩＤをインクリメントする（ステップＳ１０８）。
【００３４】
一方、ＩＤ＝１の画像データのファイル名が２次元コードを示している場合（ステップＳ１０３においてＹｅｓ）、２次元コード処理部１２２は、ＩＤ＝１の画像データが２次元コードであるかどうかを確認する（ステップＳ１０４）。ＩＤ＝１の画像データが２次元コードでない場合（ステップＳ１０４においてＮｏ）、ファイル解析部１２１は、ＩＤをインクリメントする（ステップＳ１０８）。ＩＤ＝１の画像データが２次元コードの場合（ステップＳ１０４においてＹｅｓ）、２次元コード処理部１２２は、２次元コードに記録されたデータを取得する（ステップＳ１０５）。
【００３５】
２次元コード処理部１２２が取得したデータが表示変更情報４４１である場合（ステップＳ１０６においてＹｅｓ）、ファイル解析部１２１は、表示変更情報４４１を保持し（ステップＳ１０７）、ＩＤをインクリメントする（ステップＳ１０８）。一方、取得したデータが表示変更情報４４１でない場合（ステップＳ１０６においてＮｏ）、ファイル解析部１２１は、ステップＳ１０８に示す処理を実行する。
【００３６】
次に、インクリメントした新たなＩＤに対応する画像データがある場合（ステップＳ１０９においてＹｅｓ）、ファイル解析部１２１は、新たなＩＤに対応する画像データが２次元コードかどうかを確認するために、ステップＳ１０３〜Ｓ１０８に示す処理を繰り返す。一方、新たなＩＤに対応する画像データがない場合（ステップＳ１０９においてＮｏ）、ファイル解析部１２１は、全ての画像データの確認が完了したと判断する。ファイル解析部１２１が表示変更情報４４１をラスタ処理部１２３に渡すことで、図６に示す処理が終了する。
【００３７】
なお、表示変更情報４４１が記録されたコード画像データ４４が一つである場合、データ変換部１２は、ステップＳ１０７に示す処理の実行後、図６に示す処理を終了してもよい。
【００３８】
次に、ラスタ変換処理について詳しく説明する。図７は、ラスタ変換処理におけるラスタ処理部１２３の動作の流れを示すフローチャートである。
【００３９】
まず、レイアウトファイル４１に記述されたサイズ情報に基づいて白地のページデータ５０が作成される。ラスタ処理部１２３は、ページデータ５０上に描画されるオブジェクトをレイアウトファイル４１に基づいて指定する（ステップＳ２０１）。指定したオブジェクトが画像データでない場合（ステップＳ２０２においてＮｏ）、ラスタ処理部１２３は、ページデータ５０上に指定したオブジェクトを描画する（ステップＳ２０４）。
【００４０】
一方、指定したオブジェクトが画像データの場合（ステップＳ２０２においてＹｅｓ）、ラスタ処理部１２３は、指定したオブジェクトである画像データ（以下、「指定画像データ」という）の配置が許可されているかどうかを確認する（ステップＳ２０３）。指定画像データの配置許可の確認は、表示変更情報４４１を参照して行われる。
【００４１】
指定画像データの配置が許可されている場合（ステップＳ２０３においてＹｅｓ）、ラスタ処理部１２３は、ページデータ５０上に指定画像データを配置する（ステップＳ２０４）。たとえば、指定画像データが表示画像データ４２の場合、表示画像データ４２の配置が、図５に示す表示変更情報４４１で許可されている。このため、表示画像データ４２は、ページデータ５０上に配置される。その後、ラスタ処理部１２３は、全てのオブジェクトを指定したかどうかを確認する（ステップＳ２０５）。
【００４２】
一方、指定画像データの配置が許可されていない場合（ステップＳ２０３においてＮｏ）、ラスタ処理部１２３は、指定画像データを描画することなく、ステップＳ２０５に示す処理を実行する。ダミー画像データ４３は、図５に示す表示変更情報４４１において配置が許可されていないため、ページデータ５０上に配置されない。なお、ラスタ処理部１２３は、ダミー画像データ４３の配置が許可されていない場合、文書表示部１１を介してダミー画像データ４３を表示するかどうかをユーザに確認してもよい。
【００４３】
ラスタ処理部１２３は、全てのオブジェクトを指定していない場合（ステップＳ２０５においてＮｏ）、次のオブジェクトを指定するためにステップＳ２０１に示す処理に戻る。全てのオブジェクトを指定した場合（ステップＳ２０５においてＹｅｓ）、ラスタ処理部１２３は、文書ファイル４０のラスタライズが完了したと判断し（ステップＳ２０６）、図７に示す処理を終了する。図７に示す処理の結果、図４に示すページデータ５０が文書表示部１１によってモニタ１４に表示される。
【００４４】
以上説明したように、第１の実施の形態に係るＰＣ１は、表示変更情報４４１を用いて、文書ファイル４０に含まれる画像データをラスタライズに用いるかどうかを判定する。これにより、ページデータ５０の表示状態が表示変更情報４４１に基づいて変更されるため、ユーザは、文書ファイル４０の閲覧時などに、セキュリティを確保することができる。
【００４５】
｛第２の実施の形態｝
次に、図面を参照しつつ本発明の第２の実施の形態について、図面を参照しつつ説明する。第２の実施の形態に係るＰＣの構成は、図１に示すＰＣ１に示す構成と同様である。なお、第２の実施の形態では、上記第１の実施の形態と異なる点を中心に説明する。
【００４６】
第２の実施の形態が、第１の実施の形態と大きく異なる点は、表示変更情報４４１に代えて書式変更情報４４２がコード画像データ４４に記録されている点である。書式変更情報４４２は、特定のテキストデータに対する書式の変更に用いられる情報である。
【００４７】
まず、書式変更情報４４２の役割について説明する。なお、テキストデータ４１１のフォントサイズは、１２ポイントに指定され、テキストデータ４１２のフォントサイズは、１８ポイントに指定されているとする。書式変更情報４４２は、フォントサイズが１８ポイントに指定されたテキストデータに対して下線を付す指示が記録されているとする。
【００４８】
図３に示すページデータ５０は、書式変更情報４４２を用いずに作成されたページデータ５０に対応する。つまり、図３に示すページデータ５０は、テキストデータ４１１、４１２に対する書式の変更は行われていない。
【００４９】
一方、図８は書式変更情報４４２を用いて作成されたページデータ５０を示す図である。図８に示すページデータ５０は、図３に示すページデータ５０と異なり、テキストデータ４１２に下線が付されている。これは、ラスタ処理部１２３が、書式変更情報４４２に基づいて、下線を付したテキストデータ４１２をページデータ５０上に描画したためである。このように、第２の実施の形態に係るＰＣ１は、テキストデータの書式の変更を指示する書式変更情報４４２を用いて文書ファイル４０をラスタライズすることで、ページデータ５０の表示状態を変更する。
【００５０】
以下、第２の実施の形態に係るＰＣ１の動作について説明する。なお、ファイル解析処理については、表示変更情報４４１が書式変更情報４４２となる点の他は、第１の実施の形態と同様であるため、説明を省略する。ここでは、ラスタ変換処理について詳しく説明する。
【００５１】
図９は、第２の実施の形態に係るラスタ処理部１２３の動作の流れを示すフローチャートである。まず、レイアウトファイル４１に記述されたサイズ情報に基づいて、白地のページデータ５０が作成される。ラスタ処理部１２３は、ページデータ５０上に描画するオブジェクトをレイアウトファイル４１に基づいて指定する（ステップＳ３０１）。指定したオブジェクトがテキストデータでない場合（ステップＳ３０２においてＮｏ）、ラスタ処理部１２３は、ページデータ５０上に、指定したオブジェクトを描画する（ステップＳ３０３）。ラスタ処理部１２３は、全てのオブジェクトを指定したかどうかを確認する（ステップＳ３０７）。
【００５２】
一方、ステップＳ３０２において、指定したオブジェクトがテキストデータの場合（ステップＳ３０２においてＹｅｓ）、ラスタ処理部１２３は、書式変更情報４４２を参照して、指定したオブジェクトのテキストデータ（以下、「指定テキストデータ」という）が書式変更の対象であるかどうかを確認する（ステップＳ３０４）。
【００５３】
指定テキストデータが書式変更の対象でない場合（ステップＳ３０４においてＮｏ）、指定テキストデータは、そのままページデータ５０上に描画される（ステップＳ３０３）。図８に示すページデータ５０の場合、テキストデータ４１１は、書式変更の対象ではないため、下線を付されることなく描画される。
【００５４】
一方、指定テキストデータが書式変更の対象の場合（ステップＳ３０４においてＹｅｓ）、ラスタ処理部１２３は、書式変更情報４４２に基づいて指定テキストデータの書式を変更する（ステップＳ３０５）。書式が変更された指定テキストデータが、ページデータ５０上に描画される（ステップＳ３０６）。図８に示すページデータ５０の場合、テキストデータ４１２は、書式変更の対象となっているため、下線を付された上でページデータ５０上に描画される。ラスタ処理部１２３は、全てのオブジェクトを指定したかどうかを確認する（ステップＳ３０７）。
【００５５】
ラスタ処理部１２３は、全てのオブジェクトを指定していない場合（ステップＳ３０７においてＮｏ）、次のオブジェクトを指定するためにステップＳ３０１に示す処理に戻る。全てのオブジェクトを指定した場合（ステップＳ３０７においてＹｅｓ）、ラスタ処理部１２３は、文書ファイル４０のラスタライズが完了したと判断し（ステップＳ３０８）、図９に示す処理を終了する。図９に示す処理の結果、図８に示すページデータ５０が、文書表示部１１によってモニタ１４に表示される。
【００５６】
以上説明したように、第２の実施の形態に係るＰＣ１は、文書ファイル４０のラスタライズ時に、書式変更情報４４２に基づいてテキストデータを描画する。つまり、書式変更情報４４２を用いることによって、特定の書式のテキストデータが強調表示されたページデータ５０を作成することができる。
【００５７】
なお、第２の実施の形態において、書式変更情報４４２にフォントサイズが１８ポイントのテキストデータに下線を付加する指示が記録されている例について説明したが、これに限られない。たとえば、フォントの種別で書式変更の対象を指定してもよい。あるいは、変更後の書式として、フォントの色などを指定してもよい。
【００５８】
なお、上記第１および第２の実施の形態において、レイアウトファイル４１の数が一つである場合を例にして説明したが、これに限られない。レイアウトファイル４１の数が二つ以上の場合、ラスタ処理部１２３は、上述したラスタ変換処理をレイアウトファイル４１の数に応じて繰り返すことで、複数のページデータ５０、５０・・・を作成することができる。
【００５９】
また、上記第１および第２の実施の形態において、ＰＣ１を例にして説明したが、これに限られない。たとえば、ＸＰＳファイルを印刷可能なプリンタなどがデータ変換部１２を備えていてもよい。
【００６０】
また、上記第１および第２の実施の形態において、データ変換部１２を備えるＰＣ１を例にして説明したが、これに限られない。たとえば、データ変換部１２を備えないＰＣであっても、文書ファイル４０をモニタに表示させることができる。第１の実施の形態の場合、表示画像データ４２はダミー画像データ４３に隠された状態となる。このように、文書ファイル４０を表示するＰＣの機能に応じて、文書ファイル４０の表示状態を変えることができる。
【００６１】
また、上記実施の形態において、データ変換部１２を備えるＰＣ１を例にして説明したが、これに限られない。たとえば、データ変換部１２を備えないＰＣと、データ変換部１２を備えるプリンタとを用いて印刷システムを構成することができる。データ変換部１２を備えるプリンタは、ＰＣにおける文書ファイル４０の表示状態と異なる印刷文書を出力することができる。第１の実施の形態の場合、ＰＣのモニタでは、ダミー画像データ４３が表示され、印刷文書には、表示画像データ４２が印刷される。
【図面の簡単な説明】
【００６２】
【図１】本発明の実施の形態に係るパーソナルコンピュータの機能的構成を示すブロック図である。
【図２】文書ファイルの構成を示す図である。
【図３】表示設定情報を用いずに作成されたページデータを示す図である。
【図４】表示設定情報を用いて作成されたページデータを示す図である。
【図５】表示設定情報の内容の一例を示す図である。
【図６】ファイル解析処理の流れを示すフローチャートである。
【図７】表示設定情報に基づくラスタ変換処理の流れを示すフローチャートである。
【図８】書式変更情報を用いて作成されたページデータを示す図である。
【図９】書式変更情報に基づくラスタ変換処理の流れを示すフローチャートである。
【符号の説明】
【００６３】
１  ＰＣ（パーソナルコンピュータ）
１１  文書表示部
１２  データ変換部
１３  操作部
１４  モニタ
１５  記憶部
１２１  ファイル解析部
１２２  ２次元コード処理部
１２３  ラスタ処理部
【図１】
2009253527.tif 000003
【図２】
2009253527.tif 000004
【図３】
2009253527.tif 000005
【図４】
2009253527.tif 000006
【図５】
2009253527.tif 000007
【図６】
2009253527.tif 000008
【図７】
2009253527.tif 000009
【図８】
2009253527.tif 000010
【図９】
2009253527.tif 000011